(57)【要約】      （修正有）【課題】多層顔変換式フェイスマスクの提供。【解決手段】複数の紙盤１を包含し、該複数の紙盤が相互に重畳し、該複数の紙盤の中心軸に縫合線２が設けられ、最上層の紙盤の表面に顔板３が接合され、別に隣接する各層の紙盤の左半部と右半部の対向面間に、それぞれ二つ折りされた顔板が接合され、且つ該紙盤の左右側端に固定部品４が設置されている。以上の構造により、各層の紙盤を左向き或いは右向きに二つ折りにする時、異なる顔板に変換でき、且つその操作に便利で、簡単に顔変換の機能を達成でき、豊富な趣味性と目新しさを有し、並びに製造コストを節約できる。【選択図】図２
0003112191.tif 000002
【実用新案登録請求の範囲】
【請求項１】
略人体顔面サイズの複数の紙盤を包含し、該複数の紙盤の人体眼部に対応する位置に穿孔が設けられている多層顔変換式フェイスマスクにおいて、
最底層の紙盤の側端に外向きに少なくとも５ｍｍ延伸された連接部が設置され、該複数の紙盤の中心軸に縫合線が設けられて該縫合線により該複数の紙盤が一体に接続され、最上層の紙盤表面に顔板が接合され、隣接する各層の紙盤の左半部と右半部の対向面間に、それぞれ二つ折りされた顔板が接合され、各顔板に各種顔面パターンが描かれ、各紙盤の左右側端に固定部品が設置されたことを特徴とする、多層顔変換式フェイスマスク。
【請求項２】
請求項１記載の多層顔変換式フェイスマスクにおいて、固定部品が磁石とされたことを特徴とする、多層顔変換式フェイスマスク。
【請求項３】
請求項１記載の多層顔変換式フェイスマスクにおいて、固定部品が係止帯とされたことを特徴とする、多層顔変換式フェイスマスク。
【請求項４】
請求項１記載の多層顔変換式フェイスマスクにおいて、固定部品が粘着帯とされたことを特徴とする、多層顔変換式フェイスマスク。
【請求項５】
請求項１記載の多層顔変換式フェイスマスクにおいて、固定部品がスナップとされたことを特徴とする、多層顔変換式フェイスマスク。
【請求項６】
請求項１記載の多層顔変換式フェイスマスクにおいて、連接部がかつらに縫い付けられたことを特徴とする、多層顔変換式フェイスマスク。
【請求項７】
請求項１記載の多層顔変換式フェイスマスクにおいて、連接部がカチューシャに縫い付けられたことを特徴とする、多層顔変換式フェイスマスク。
【請求項８】
請求項１記載の多層顔変換式フェイスマスクにおいて、連接部が玩具に縫い付けられたことを特徴とする、多層顔変換式フェイスマスク。
【請求項９】
請求項１記載の多層顔変換式フェイスマスクにおいて、紙盤と顔板がアイマスクの形式とされ、顔板の表面に各種の異なる様式のアイマスクパターンが描かれたことを特徴とする、多層顔変換式フェイスマスク。
【考案の詳細な説明】
【技術分野】
【０００１】
本考案は一種の多層顔変換式フェイスマスクに係り、特に、操作に便利で簡単に顔変換の機能を達成できるフェイスマスクであって、生産コストを節約できるものに関する。
【背景技術】
【０００２】
フェイスマスクは原始社会の宗教祭典の歌舞儀式に由来し、各フェイスマスクの背景には故事があり、また民族の文化を代表しうる。現代人はフェイスマスクの特性を利用して仮装及び演技を行なう。外国の成年はフェイスマスクを着用する機会が多く、ダンスパーティー、祭日等にさまざまなフェイスマスクを着用し、歓喜の人の群れに入り自己の真実の身分を隠蔽し、礼儀の束縛より解脱する。
【０００３】
周知のフェイスマスクはただ一枚の紙盤にいくつかの孔を開けた後、装飾品を貼り付けてなる。或いは、紙板を顔の形に折ってから紙粘度で形成するか、或いは紙板でフレームを形成した後に、綿紙を一層ずつ貼り付けて形成する。
【０００４】
周知のフェイスマスクは一種類の顔しか有さず、異なる顔に交換不能であり、このため多くの異なるフェイスマスクを製造或いは購入しなければならない。このため製造コストがアップし、並びに多くの金銭を費やす。
【０００５】
更に周知のフェイスマスクは異なる顔に変換する時は、先にフェイスマスクを顔部より取り外してから、新たなフェイスマスクを装着しなければならず、フェイスマスク交換の過程で自分の顔が他人に覗かれてしまう。このためダンスパーティーで続けて自分の身分を隠すことができず、フェイスマスクを使用する人に相当な不都合を形成する。
【考案の開示】
【考案が解決しようとする課題】
【０００６】
本考案は上述の周知の構造の欠点を解消した新規な多層顔変換式フェイスマスクを提供するものである。
【０００７】
本考案の主要な目的は、操作に便利で、簡単に顔変換機能を達成でき、生産コストを節約できる多層顔変換式フェイスマスクを提供することにある。
【０００８】
本考案の多層顔変換式フェイスマスクは複数の紙盤を包含し、該複数の紙盤は重畳し、最底層の紙盤の側端に外向きに少なくとも５ｍｍ延伸された連接部が設置され、該複数の紙盤の中心軸に縫合線が設けられ、最上層の紙盤表面に顔板が接合され、別に隣接する各層の紙盤の左半部と右半部の対向面間に、それぞれ二つ折りされた顔板が接合され、各紙盤の左右側端に固定部品が設けられている。
【０００９】
以上の構造により、本考案の多層顔変換式フェイスマスクは、最底層の紙盤の側端がかつら、カチューシャ、帽子、及び玩具に縫い付けられ、更にそれが頭部に嵌合される。使用者は任意に各層の紙盤を左或いは右向きに二つ折りにすることで、異なる顔板に交換でき、その操作に便利で、ゆえに瞬間的に顔板を変換して顔変換の機能を達成でき、周囲の人を驚かせ、注目を集めることができ、豊富な趣味性と目新しさを有し、並びにコストを節約できる。
【課題を解決するための手段】
【００１０】
請求項１の考案は、略人体顔面サイズの複数の紙盤を包含し、該複数の紙盤の人体眼部に対応する位置に穿孔が設けられている多層顔変換式フェイスマスクにおいて、
最底層の紙盤の側端に外向きに少なくとも５ｍｍ延伸された連接部が設置され、該複数の紙盤の中心軸に縫合線が設けられて該縫合線により該複数の紙盤が一体に接続され、最上層の紙盤表面に顔板が接合され、隣接する各層の紙盤の左半部と右半部の対向面間に、それぞれ二つ折りされた顔板が接合され、各顔板に各種顔面パターンが描かれ、各紙盤の左右側端に固定部品が設置されたことを特徴とする、多層顔変換式フェイスマスクとしている。
請求項２の考案は、請求項１記載の多層顔変換式フェイスマスクにおいて、固定部品が磁石とされたことを特徴とする、多層顔変換式フェイスマスクとしている。
請求項３の考案は、請求項１記載の多層顔変換式フェイスマスクにおいて、固定部品が係止帯とされたことを特徴とする、多層顔変換式フェイスマスクとしている。
請求項４の考案は、請求項１記載の多層顔変換式フェイスマスクにおいて、固定部品が粘着帯とされたことを特徴とする、多層顔変換式フェイスマスクとしている。
請求項５の考案は、請求項１記載の多層顔変換式フェイスマスクにおいて、固定部品がスナップとされたことを特徴とする、多層顔変換式フェイスマスクとしている。
請求項６の考案は、請求項１記載の多層顔変換式フェイスマスクにおいて、連接部がかつらに縫い付けられたことを特徴とする、多層顔変換式フェイスマスクとしている。
請求項７の考案は、請求項１記載の多層顔変換式フェイスマスクにおいて、連接部がカチューシャに縫い付けられたことを特徴とする、多層顔変換式フェイスマスクとしている。
請求項８の考案は、請求項１記載の多層顔変換式フェイスマスクにおいて、連接部が玩具に縫い付けられたことを特徴とする、多層顔変換式フェイスマスクとしている。
請求項９の考案は、請求項１記載の多層顔変換式フェイスマスクにおいて、紙盤と顔板がアイマスクの形式とされ、顔板の表面に各種の異なる様式のアイマスクパターンが描かれたことを特徴とする、多層顔変換式フェイスマスクとしている。
【考案の効果】
【００１１】
本考案は各層の紙盤を左向き或いは右向きに二つ折りにする時、異なる顔板に変換でき、且つその操作に便利で、簡単に顔変換の機能を達成でき、豊富な趣味性と目新しさを有し、並びに製造コストを節約できる。
【考案を実施するための最良の形態】
【００１２】
図１、２に示されるように、本考案の多層顔変換式フェイスマスクは、人体の顔部サイズに近い複数の紙盤１を具え、該紙盤１の眼部に対応する位置に穿孔１１が設けられている。その特徴は以下のとおりである。
【００１３】
該複数の紙盤１は相互に重畳し、最底層の紙盤１０の側端に外向きに少なくとも５ｍｍ延伸された連接部１０１が設置され、該複数の紙盤１の中心軸に各層の紙盤１を一体に接続する縫合線２が設けられ、最上層の紙盤１表面に顔板３が接合され、別に隣接する各層の紙盤１の左半部と右半部の対向面間に、それぞれ二つ折りされた顔板３が接合され、各紙盤１の左右側端に固定部品４が設けられている。
【００１４】
以上の構造により、本考案の多層顔変換式フェイスマスクは、複数の紙盤１が重畳させられた後、その中心軸に設置された縫合線２により複数の紙盤１の中心線部分が一体に結合され、紙盤１の左半部と右半部がそれぞれ左向き或いは右向きに二つ折り可能とされ、最上層の紙盤１と各層の紙盤１の対向面の左半部と右半部に二つ折りされた顔板３が接合されて縫合線２が遮蔽される。次に、本考案中、固定部品４は磁石、係止帯、粘着帯或いはスナップとされうる。
【００１５】
図３に示されるように、本考案の多層顔変換式フェイスマスクは、かつら５、カチューシャ、帽子、及び玩具が連接部１０１に縫い付けられるか、或いはその左右両端に伸縮帯が縫い付けられて、本考案が頭部に装着可能とされるか、或いは連接部１０１を利用して本考案が玩具に設置されて玩具の趣味性を増す。顔変換が必要な時は、中心線の左半分或いは右半分の紙盤１を反対方向に二つ折りにすれば、紙盤１の背面の別の顔板３が露出する。２枚の紙盤１で構成されていれば、三つの顔板３が設置でき、三種類の顔を現出できる。三枚の紙盤１で構成されていれば、五つの顔板３が設置でき、五種類の顔を現出できる。これから類推されるように、製造時に変換したい顔形式により紙盤の数を増減できる。顔変換後、固定部品４で二つ折りした紙盤１を固定すれば、快速顔変換の機能を達成できる。ゆえにフェイスマスク全体を交換する必要がなく、且つ顔変換の過程が迅速で、人に変換操作を察知されることなく、人を驚かせることができる。これによりダンスパーティー或いは舞台の演劇中での使用に非常に適合する。更に本考案は製造に便利で、材料取得が容易で、製造コストを節約できる。
【００１６】
図４に示されるように、本考案の多層顔変換式フェイスマスクは、紙盤１及び顔板３をアイマスクの形式とし、並びに該顔板３の表面に各種の異なる形式のアイマスクパターンを描くことができ、これにより多層顔変換式アイマスクとなすことができる。
【００１７】
総合すると、本考案の多層顔変換式フェイスマスクは簡単迅速に異なる顔板に変換して顔変換の機能を達成でき、並びに製造コストを節約できる。ゆえに本考案は実用性と進歩性を具えている。
【図面の簡単な説明】
【００１８】
【図１】本考案の立体分解図である。
【図２】本考案の立体組合せ図である。
【図３】本考案の使用表示図である。
【図４】本考案の別の実施例図である。
【符号の説明】
【００１９】
１  紙盤            ２  縫合線
３  顔板            ４  固定部品
５  かつら          １０  底層の紙盤
１１  穿孔          １０１  連接部
【図１】
0003112191.tif 000003
【図２】
0003112191.tif 000004
【図３】
0003112191.tif 000005
【図４】
0003112191.tif 000006